(57)【要約】【課題】安全かつ筐体サイズを小型にできる熱源ユニット提供する。【解決手段】本熱源ユニットは、軸流ファンの空気の流出方向にある翼後縁部が、翼前縁方向に凹陥する円弧凹状に形成された翼を複数枚設けてなる軸流ファン送風機と、この軸流ファンの空気流出側に設置されるファンガードとを備え、このファンガードは複数の開口部を有し、この開口部は翼後縁部の凹陥部に対向する部位の面積は、凹陥部に対向しない部位の面積より大きくする。【選択図】  図２
2010060217.tif 000002
【特許請求の範囲】
【請求項１】
翼後縁部が、翼前縁部方向に円弧状に凹陥して形成された翼を複数枚設けてなりかつ、
回転にともなって軸方向に送風する軸流ファン送風機と、
この軸流ファンの空気流出側に設置されるファンガードとを備え、
前記ファンガードは複数の開口部を有し、この開口部の前記翼後縁部凹陥部に対向する部位の面積は、前記凹陥部に対向しない部位の面積より大きくしたことを特徴とする熱源ユニット。
【請求項２】
前記ファンガードは、放射状に設けられる複数の放射状部材と、同心円状に設けられる複数の同心円状部材との組み合わせで形成されるとともに、
前記凹陥部に対向する部位では、前記同心円状部材同士の間隔が、前記凹陥部に対向しない部位での前記同心円状部材同士の間隔より広いことを特徴とする請求項１に記載の熱源ユニット。
【請求項３】
前記凹陥部に対向しない部位の面積あるいは前記同心円状部材同士の間隔は、指が入らない大きさであることを特徴とする請求項１または２に記載の熱源ユニット。
【発明の詳細な説明】
【技術分野】
【０００１】
本発明は熱源ユニットに係り、特にファンガードの構造を改良した熱源ユニットに関する。
【背景技術】
【０００２】
一般に空気調和装置の室外機等の熱源ユニットは、室外側熱交換器と、送風機と、この送風機の空気流出側に設置されるファンガードとを備え、送風機により室外側熱交換器に送風している（例えば、特許文献１参照）。
【０００３】
特許文献１に記載の室外機は、空気吸込口を備えた立形直方体形状の室外機本体に収容された送風機と、この送風機の空気流出側に設置され、空気吹出口を覆うようにベルマウスを介して室外機本体に取付けられたファンガードを備えている。
【０００４】
従来のファンガードは、金属製ワイヤにより形成されており、その中心付近から半径方向外側に向かって渦巻き状に形成される渦巻状線部と、中心から半径方向外側に向かって放射状に形成される放射状線部とで構成されている。
【０００５】
そして、従来のファンガードは安全を考慮して、隣接する渦巻状線部同士の間隔を人の指などが入らない程度に狭くしている。しかしながら、このように、渦巻状線部同士の間隔を狭くする構造では、送風機としては抵抗が大きく、送風機の回転数が大きくなり、送風騒音値が大きくなる問題があった。
【０００６】
また、安全を考慮して、ファンガードと送風機の翼との距離を十分にとった室外機も提案されて、さらに、送風量を増すために、ファンガードを放射状に大きくすることが提案されているが、いずれも室外機筐体のサイズが大きくなる問題があった。
【特許文献１】特開２００４−３１７０５３号公報
【発明の開示】
【発明が解決しようとする課題】
【０００７】
本発明は上述した事情を考慮してなされたもので、安全かつ筐体サイズを小さくできる熱源ユニットを提供することを目的とする。
【課題を解決するための手段】
【０００８】
上述した目的を達成するため、本発明に係る熱源ユニットは、翼後縁部が、翼前縁部方向に円弧状に凹陥して形成された翼を複数枚設けてなりかつ、回転にともなって軸方向に送風する軸流ファン送風機と、この軸流ファンの空気流出側に設置されるファンガードとを備え、前記ファンガードは複数の開口部を有し、この開口部の前記翼後縁部凹陥部に対向する部位の面積は、前記凹陥部に対向しない部位の面積より大きくしたことを特徴とする。
【発明の効果】
【０００９】
本発明の熱源ユニットによれば、安全かつ筐体サイズを小さくできる。
【発明を実施するための最良の形態】
【００１０】
本発明の一実施形態に係る熱源ユニットについて図面を参照して説明する。
【００１１】
なお、空気調和装置の室外機の例で説明する。
【００１２】
図１は本発明の一実施形態に係る空気調和装置の室外機の斜視図であり、図２は空気調和装置の室外機の概念図であり、図３は空気調和装置の室外機に用いるファンガードの平面図である。
【００１３】
図１に示すように、本発明の一実施形態に係る熱源ユニット１（以下、室外機１）は、空気調和装置の室内機と冷媒配管を介して接続され、さらに、室外機本体２には室外機構成要素が収容される。
【００１４】
また、室外機本体２には、周囲に空気吸込口３、上部に空気吹出口５が設けられる。空気吸込口３と対向して室外機本体２内側に室外熱交換器４が配置され、室外熱交換器３の上方に軸流ファン送風機６が配置される。軸流ファン送風機６の空気流出側に空気吹出口５を構成するベルマウス８が配置され、空気吹出口５および軸流ファン送風機６を覆うように、ファンガード７が取付けられる。
【００１５】
図２に示すように、軸流ファン送風機６は、ベルマウス８に周囲を囲われる軸流ファン１１と、この軸流ファン１１を回転させるファンモータ１２を備える。
【００１６】
軸流ファン１１はボスハブ１３に取り付けられた複数枚の翼１４を備え、この翼１４はそれぞれ空気の流出方向にある翼後縁部１４ａと、空気の導入方向にある翼前縁部１４ｂと、外周を形成する翼外周部１４ｃが形成される。翼後縁部１４ａは、空気の流出方向とは反対の導入方向に距離Ｄ０だけ凹陥して構成された円弧状の凹陥部Ｌが形成される。
【００１７】
従って、ファンガード７と翼後縁部１４ａの凹陥部Ｌとの間の距離Ｄは、ファンガード７から翼外周部１４ｃの翼後縁端部１４ｄとの距離Ｄ１とＤ０との和になる。なお、この距離Ｄを従来はベルマウスの高さのみで形成していたので、ベルマウスの高さが高くなっていた。
【００１８】
一方、図２および図３に示すように、ファンガード７は、金属製ワイヤにより形成されており、円形状の取付板１５に放射状に取り付けられる複数の放射状部材１６と、同心円状に設けられる複数の同心円状部材１７との組み合わせからなり、複数の開口部１８が形成され、この開口部１８のうち、翼後縁部１４ａの凹陥部Ｌに対向する部位７ａの大開口部１８ａの面積は、翼後縁部１４ａの凹陥部Ｌに対向しない部位７ｂの小開口部１８ｂの面積より大きく形成される。
【００１９】
例えば、翼後縁部１４ａの凹陥部Ｌに対向する部位では、同心円状部材１７同士の間隔ｐ１が、翼後縁部１４ａの凹陥部Ｌに対向しない部位での同心円状部材１７同士の間隔ｐ２より広くなっており、間隔ｐ１の部位に大開口部１８ａが形成され、間隔ｐ２の部位に小開口部１８ｂが形成される。
【００２０】
小開口部１８ｂの面積あるいは間隔ｐ２は指ｆが入らない大きさにするのが好ましい。
【００２１】
翼１４の翼後縁部１４ａを形成するとともに、ファンガード７は、翼後縁部１４ａの凹陥部Ｌに対向する部位では、同心円状部材１７同士の間隔ｐ１が広く形成されているので、ファンガード７による通風抵抗を小さくでき、大風量が得られ、さらに、翼後縁部１４ａの凹陥部Ｌを形成することにより、安全規格で規定された距離Ｄが確保され、例え広く形成された間隔ｐ１から指が挿入されても、翼１４に指が触れず、安全である。
【００２２】
また、ファンガード７と翼１４の間の距離を短くすることが可能になり、ベルマウス８を従来に比べて低くでき、室外機本体３の小型化が図れる。
【００２３】
さらに、翼後縁部１４ａの凹陥部Ｌに対向しない部位での同心円状部材１７同士の間隔ｐ２は狭く形成されるので、間隔ｐ２から指が挿入できず、翼１４に指が触れることがなく安全である。
【００２４】
なお、本実施形態では、空気調和装置の室外機を例にとり説明したが、ヒートポンプ型給湯装置の熱源ユニットなど種々の装置に使用でき、その効果を期待できる。
【００２５】
本実施形態の熱源ユニットによれば、安全かつ筐体サイズを小さくできる熱源ユニットが実現される。
【図面の簡単な説明】
【００２６】
【図１】本発明の一実施形態の空気調和装置の室外機の斜視図。
【図２】本発明の一実施形態の空気調和装置の室外機に用いる送風ユニット部分の概念図。
【図３】本発明の一実施形態の熱源ユニットに用いるファンガードの平面図。
【符号の説明】
【００２７】
１…熱源ユニット（室外機）、２…室外機本体、３…空気吸込口、４…室外熱交換器、５…空気吹出口、６…軸流ファン送風機、７…ファンガード、７ａ…部位、７ｂ…部位、８…ベルマウス、１４…翼、１４ａ…翼後縁部、１４ｂ…翼前縁部、１４ｃ…翼外周部、１４ｄ…翼外周部の翼後縁端、１６…放射状部材、１７…同心円状部材、１８…開口部、１８ａ…大開口部、１８ｂ…小開口部、Ｌ…凹陥部、Ｄ０…距離、Ｄ１…距離、Ｄ…距離、ｐ１…間隔、ｐ２…間隔。
【図１】
2010060217.tif 000003
【図２】
2010060217.tif 000004
【図３】
2010060217.tif 000005